(57)【要約】【課題】  音声・映像放送装置等において、著作権保護を考慮したオーディオデータや画像データの再生を低コストで実現すること。【解決手段】  デジタル回線Ｄに接続されチャンネル毎に配信されるオーディオデータを受信するデータ通信モデム１と、データ通信モデム１で受信したオーディオデータを保存するサーバ２と、サーバ２に保存されたオーディオデータを電力線Ｌを介して送信するモデム側電力線通信部３とを備え、サーバ２が、同じオーディオデータをモデム側電力線通信部３により一定回数送信した際又は保存してから一定時間が経過した際、該オーディオデータを削除する。【選択図】      図１
2008172370.tif 000002
【特許請求の範囲】
【請求項１】
デジタル回線に接続されチャンネル毎に配信されるオーディオデータ又は映像データを受信するデータ通信モデムと、
前記データ通信モデムで受信した前記オーディオデータ又は前記映像データを保存するサーバと、
前記サーバに保存された前記オーディオデータ又は前記映像データを電力線を介して送信するモデム側電力線通信部とを備え、
前記サーバが、同じ前記オーディオデータ又は前記映像データを前記モデム側電力線通信部により一定回数送信した際又は保存してから一定時間が経過した際、該オーディオデータ又は該映像データを削除することを特徴とする音声・映像放送装置。
【請求項２】
請求項１に記載の音声・映像放送装置において、
前記サーバが、直接又は電力線を介して前記オーディオデータ又は前記映像データを指定した購入要求の信号が入力又は受信されると、指定された前記オーディオデータ又は前記映像データの前記削除を中止すると共に、前記データ通信モデムにより前記購入要求及び購入者情報を電力線を介して前記オーディオデータ又は前記映像データの配信先へ送信することを特徴とする音声・映像放送装置。
【請求項３】
請求項２に記載の音声・映像放送装置において、
前記サーバが、外部の記憶媒体と接続可能とされ、
前記購入要求の信号で指定された前記オーディオデータ又は前記映像データのみを前記記憶媒体へ転送可能とされていることを特徴とする音声・映像放送装置。
【請求項４】
請求項１から３のいずれか一項に記載の音声・映像放送装置と、
前記モデム側電力線通信部から送信された前記オーディオデータ又は前記映像データを電力線を介して受信する出力側電力線通信部と、
該出力側電力線通信部で受信した前記オーディオデータ又は前記映像データを再生出力する出力部とを備えていることを特徴とする音声・映像放送システム。
【請求項５】
請求項４に記載の音声・映像放送システムにおいて、
前記データ通信モデムが、パーソナルコンピュータを接続可能とされ、
前記パーソナルコンピュータから入力され前記出力側電力線通信部毎に前記チャンネルを割り当てると共に前記チャンネル毎に前記オーディオデータ又は前記映像データの再生順序を設定する制御命令を、前記サーバに対して出力可能であることを特徴とする音声・映像放送システム。
【請求項６】
データ通信モデムが、接続されたデジタル回線を介してチャンネル毎にオーディオデータ又は映像データを受信するステップと、
サーバが、前記データ通信モデムで受信した前記オーディオデータ又は前記映像データを保存するステップと、
モデム側電力線通信部が、前記サーバに保存された前記オーディオデータ又は前記映像データを電力線を介して送信するステップと、
前記サーバが、同じ前記オーディオデータ又は前記映像データを前記モデム側電力線通信部により一定回数送信した際又は保存してから一定時間が経過した際、該オーディオデータ又は該映像データを削除するステップとを有していることを特徴とする音声・映像放送方法。
【請求項７】
データ通信モデムが、接続されたデジタル回線を介してチャンネル毎にオーディオデータ又は映像データを受信するステップと、
サーバが、前記データ通信モデムで受信した前記オーディオデータ又は前記映像データを保存するステップと、
モデム側電力線通信部が、前記サーバに保存された前記オーディオデータ又は前記映像データを電力線を介して送信するステップと、
前記サーバが、同じ前記オーディオデータ又は前記映像データを前記モデム側電力線通信部により一定回数送信した際又は保存してから一定時間が経過した際、該オーディオデータ又は該映像データを削除するステップとをコンピュータに実行させることを特徴とする音声・映像放送プログラム。
【発明の詳細な説明】
【技術分野】
【０００１】
本発明は、電力線通信を利用した有線放送形式の音声・映像放送装置、音声・映像放送システム、音声・映像放送方法及び音声・映像放送プログラムに関する。
【背景技術】
【０００２】
有線放送システムとして、アナログ回線を用いたものが一般に普及しているが、近年、高速のデジタル回線の普及によりデジタル回線を用いた有線放送システムが検討されている。例えば、特許文献１には、配信コントロールサーバ及び配信ストリーミングサーバを備え音声番組を配信する配信局と、音声番組を受信する受信局と、配信局と受信局とを接続するデジタル回線とで構成された有線放送システムが提案されている。
【０００３】
また、特許文献２には、インターネットラジオ等のインターネットを通じたコンテンツ提供サービスを受けるためのネットワークシステムが提案されている。このネットワークサービスでは、サーバ機能を有するパーソナルコンピュータと、ＬＡＮに接続され再生機能を有する電子機器端末とを備え、サーバ側のパーソナルコンピュータにコスト高となる構成を設けて、電子機器端末を安価にするものである。
【０００４】
一方、近年、家屋等の建物内に配線されている電力線を介して電力線通信装置間のデータ通信を行うことが検討されている。例えば、家屋が有する電力線を用いてオーディオ機器等の電力線通信装置間でオーディオデータや映像データ等のデータ通信を行うことが研究されている（例えば、特許文献３参照）。
【０００５】
【特許文献１】特開２００２−３３３８９０号公報
【特許文献２】特開２００４−３３３６７４号公報
【特許文献３】特開２０００−２１６７５２号公報
【発明の開示】
【発明が解決しようとする課題】
【０００６】
上記従来の技術には、以下の課題が残されている。
すなわち、高速デジタル回線を用いた放送システムを電力線通信に適用しようとすると、著作権保護の観点からストリーミング形式でオーディオデータや画像データを伝送するシステムの採用が考えられるが、この場合、電力線を介して接続される装置に高い通信処理能力が必要になる。特に、出力装置のスピーカ等にストリーミングのためのバッファ機能を備えると高コストとなってしまう不都合がある。
また、特許文献２に記載の技術のように、パーソナルコンピュータにサーバ機能を設けてパーソナルコンピュータに高速デジタル回線からのオーディオデータや画像データを保存し、パーソナルコンピュータから各出力装置に送信する方式もあるが、この場合、著作権で保護されたオーディオデータや画像データがパーソナルコンピュータから他の記憶媒体に違法に転送、複製されるおそれがある。
【０００７】
本発明は、前述の課題に鑑みてなされたもので、著作権保護を考慮したオーディオデータや画像データの再生が低コストで実現可能な音声・映像放送装置、音声・映像放送システム、音声・映像放送方法及び音声・映像放送プログラムを提供することを目的とする。
【課題を解決するための手段】
【０００８】
本発明は、前記課題を解決するために以下の構成を採用した。すなわち、本発明の音声・映像放送装置は、デジタル回線に接続されチャンネル毎に配信されるオーディオデータ又は映像データを受信するデータ通信モデムと、前記データ通信モデムで受信した前記オーディオデータ又は前記映像データを保存するサーバと、前記サーバに保存された前記オーディオデータ又は前記映像データを電力線を介して送信するモデム側電力線通信部とを備え、前記サーバが、同じ前記オーディオデータ又は前記映像データを前記モデム側電力線通信部により一定回数送信した際又は保存してから一定時間が経過した際、該オーディオデータ又は該映像データを削除することを特徴とする。
【０００９】
また、本発明の音声・映像放送システムは、上記本発明の音声・映像放送装置と、前記モデム側電力線通信部から送信された前記オーディオデータ又は前記映像データを電力線を介して受信する出力側電力線通信部と、該出力側電力線通信部で受信した前記オーディオデータ又は前記映像データを再生出力する出力部とを備えていることを特徴とする。
【００１０】
また、本発明の音声・映像放送方法は、データ通信モデムが、接続されたデジタル回線を介してチャンネル毎にオーディオデータ又は映像データを受信するステップと、サーバが、前記データ通信モデムで受信した前記オーディオデータ又は前記映像データを保存するステップと、モデム側電力線通信部が、前記サーバに保存された前記オーディオデータ又は前記映像データを電力線を介して送信するステップと、前記サーバが、同じ前記オーディオデータ又は前記映像データを前記モデム側電力線通信部により一定回数送信した際又は保存してから一定時間が経過した際、該オーディオデータ又は該映像データを削除するステップとを有していることを特徴とする。
【００１１】
また、本発明の音声・映像放送プログラムは、データ通信モデムが、接続されたデジタル回線を介してチャンネル毎にオーディオデータ又は映像データを受信するステップと、サーバが、前記データ通信モデムで受信した前記オーディオデータ又は前記映像データを保存するステップと、モデム側電力線通信部が、前記サーバに保存された前記オーディオデータ又は前記映像データを電力線を介して送信するステップと、前記サーバが、同じ前記オーディオデータ又は前記映像データを前記モデム側電力線通信部により一定回数送信した際又は保存してから一定時間が経過した際、該オーディオデータ又は該映像データを削除するステップとをコンピュータに実行させることを特徴とする。
【００１２】
これらの音声・映像放送装置、システム、方法及びプログラムでは、サーバが、同じオーディオデータ又は映像データをモデム側電力線通信部により一定回数送信した際又は保存してから一定時間が経過した際、該オーディオデータ又は該映像データを削除するので、サーバ内にオーディオデータ又は映像データが時限的に制限されて保存され、著作権保護の観点から何度も制限無く再生することを防いでいる。また、サーバがパーソナルコンピュータ等とは独立されてデータ通信モデムに接続されているので、サーバ内に保存されたオーディオデータ又は映像データをパーソナルコンピュータから直接吸い上げられて転送、複製されることがない。さらに、サーバに保存されたオーディオデータ又は映像データが電力線を介して送信されるため、出力装置側にバッファ機能が必要なく、低コストで簡易な出力装置で放送を行うことができる。
【００１３】
また、本発明の音声・映像放送装置は、前記サーバが、直接又は電力線を介して前記オーディオデータ又は前記映像データを指定した購入要求の信号が入力又は受信されると、指定された前記オーディオデータ又は前記映像データの前記削除を中止すると共に、前記データ通信モデムにより前記購入要求及び購入者情報を電力線を介して前記オーディオデータ又は前記映像データの配信先へ送信することを特徴とする。すなわち、この音声・映像放送装置では、購入要求の信号が入力又は受信されると、指定されたオーディオデータ又は映像データの削除を中止するので、気に入った楽曲や映像を選択して購入、保存することができる。また、同時に、データ通信モデムにより購入要求及び購入者情報を電力線を介してオーディオデータ又は映像データの配信先へ送信するので、配信先への購入手続が迅速かつ簡易に行うことができ、インタラクティブな購買システムを構築することができる。
【００１４】
さらに、本発明の音声・映像放送装置は、前記サーバが、外部の記憶媒体と接続可能とされ、前記購入要求の信号で指定された前記オーディオデータ又は前記映像データのみを前記記憶媒体へ転送可能とされていることを特徴とする。すなわち、この音声・映像放送装置では、購入要求で指定されたオーディオデータ又は映像データのみを記憶媒体へ転送可能とされているので、気に入って購入した楽曲や映像を別のメモリカード等の記憶媒体へ保存して持ち運ぶことが可能になる。
【００１５】
また、本発明の音声・映像放送システムは、前記データ通信モデムが、パーソナルコンピュータを接続可能とされ、前記パーソナルコンピュータから入力され前記出力側電力線通信部毎に前記チャンネルを割り当てると共に前記チャンネル毎に前記オーディオデータ又は前記映像データの再生順序を設定する制御命令を、前記サーバに対して出力可能であることを特徴とする。すなわち、この音声・映像放送システムでは、パーソナルコンピュータにより、データ通信モデムを介して出力側電力線通信部毎にチャンネルを割り当てると共にチャンネル毎にオーディオデータ又は映像データの再生順序を設定する制御命令がサーバに出力されるので、簡素なインターフェースで容易に上記設定が可能となる。
【発明の効果】
【００１６】
本発明によれば、以下の効果を奏する。
すなわち、本発明に係る音声・映像放送装置、音声・映像放送システム、音声・映像放送方法及び音声・映像放送プログラムによれば、サーバが、同じオーディオデータ又は映像データをモデム側電力線通信部により一定回数送信した際又は保存してから一定時間が経過した際、該オーディオデータ又は該映像データを削除するので、著作権保護の観点から何度も制限無く再生されたり、サーバ内のオーディオデータ又は映像データがパーソナルコンピュータ等に直接、複製されることを防止することができる。また、出力装置側にバッファ機能が必要なく、低コストで簡易な出力装置で放送を行うことができる。したがって、著作権で保護されたコンテンツデータを含むオーディオデータや映像データを保護しつつ、電力線を介して低コストに放送システムを構築することができる。
【発明を実施するための最良の形態】
【００１７】
以下、本発明に係る音声・映像放送装置、音声・映像放送システム、音声・映像放送方法及び音声・映像放送プログラムの一実施形態を、図１から図３を参照しながら説明する。
【００１８】
本実施形態の有線放送システム（音声・映像放送システム）は、図１及び図２に示すように、例えば光ファイバ回線やＡＤＳＬ回線等のブロードバンドネットワークであるデジタル回線Ｄに接続されチャンネル毎にオーディオデータを受信するデータ通信モデム１と、データ通信モデム１で受信したオーディオデータを保存するサーバ２と、サーバ２に保存されたオーディオデータを電力線Ｌを介して送信するモデム側電力線通信部３と、モデム側電力線通信部３から送信されたオーディオデータを電力線Ｌを介して受信する複数の通信機能付きアンプ（出力側電力線通信部）４と、通信機能付きアンプ４で受信したオーディオデータを再生出力する複数のスピーカ（出力部）５とを備えている。
【００１９】
上記データ通信モデム１、上記サーバ２及び上記モデム側電力線通信部３は、一体化されて有線放送装置（音声・映像放送装置）６を構成している。なお、上記通信機能付きアンプ４及び上記スピーカ５を一体化させて、スピーカ装置としても構わない。
また、上記データ通信モデム１は、イーサネット（登録商標）等のＬＡＮ７ａで外部のパーソナルコンピュータ７に接続可能とされている。このパーソナルコンピュータ７は、データ通信モデム１及びデジタル回線Ｄを介して外部にデータ通信可能となっている。
【００２０】
なお、サーバ２は、外部のパーソナルコンピュータ７が内部に保存されているオーディオデータに直接アクセスできないように設定されている。
ただし、データ通信モデム１は、パーソナルコンピュータ７から入力され通信機能付きアンプ４毎にチャンネルを割り当てると共にチャンネル毎にオーディオデータの再生順序を設定する制御命令を、サーバ２に対して出力可能とされている。
【００２１】
上記電力線Ｌは、例えば一般家屋等に配線され複数の家電製品や電子機器だけでなく、有線放送装置６、通信機能付きアンプ４及びスピーカ５にも接続されて電力供給を行っている。
【００２２】
上記サーバ２は、データ通信モデム１との間でデータを通信する通信部２ａと、通信部２ａで受信した圧縮データであるオーディオデータを保存するハードディスクや不揮発性メモリ等の記憶部２ｂと、記憶部２ｂ内の圧縮データであるオーディオデータをデコードしてＩ／Ｆ部（図示略）を介してモデム側電力線通信部３に受け渡すデコーダ２ｃと、データ通信モデム１、通信部２ａ、記憶部２ｂ、デコーダ２ｃ及びモデム側電力線通信部３を制御するコントローラ２ｄとを有している。
【００２３】
上記コントローラ２ｄは、チャンネル毎に最新の数曲分を逐次保存かつ更新するように記憶部２ｂを制御し、更新された楽曲情報をモデム側電力線通信部３により電力線Ｌを介して通信機能付きアンプ４へ送信するように設定されている。
さらに、コントローラ２ｄは、同じ楽曲のオーディオデータをモデム側電力線通信部３により一定回数（例えば、２回）送信した際又は保存してから一定時間（例えば、１日間）が経過した際、該楽曲のオーディオデータを削除するように記憶部２ｂを制御する。
なお、通信部２ａを介したサーバ２の記憶部２ｂに対するアクセスは、セキュリティ確保のため制限されている。
【００２４】
上記通信機能付きアンプ４は、アンプ機能を内蔵しており、図３に示すように、スピーカ５の音量を調整可能なボリューム調整部７と、再生されるオーディオデータのイコライジングやドルビー（登録商標）制御が可能なイコライザ制御部８と、スピーカ５に接続可能な左右音声用の一対のスピーカ端子（接続端子）９と、ヘッドフォンに接続可能なヘッドフォン端子１０とを備えている。
【００２５】
また、通信機能付きアンプ４は、複数のチャンネルのうち任意に一つのチャンネルを選択して入力可能なチャンネル選択部１１を備え、チャンネル選択部１１で入力されたチャンネルの情報を電力線Ｌを介してモデム側電力線通信部３に送信するように設定されている。なお、本実施形態のチャンネル選択部１１は、チャンネル１〜９を任意に選択可能な９ヶの選択ボタンで構成されている。
【００２６】
さらに、通信機能付きアンプ４は、入力されたチャンネル及び該チャンネルに対応して受信し再生されるオーディオデータに関する情報を表示する表示部１２を備えている。この表示部１２は、例えば液晶ディスプレイ装置で構成されており、オーディオデータに関する情報として選択されたチャンネル番号、再生される楽曲の曲名及びアーティスト名、再生時間等が表示されるように設定されている。
【００２７】
この通信機能付きアンプ４には、再生中又は過去再生した数曲のうちからサーバ２に保存されている楽曲を指定して購入要求を楽曲の配信先に送信するための購入要求スイッチ１４が設けられている。
また、通信機能付きアンプ４は、購入要求スイッチ１４で入力された購入要求の信号を電力線Ｌを介して音声放送装置６へ送信するように設定されている。
さらに、音声放送装置６では、サーバ２のコントローラ２ｄがモデム側電力線通信部３で電力線Ｌを介して受信した購入要求の信号に基づいて該当する楽曲のオーディオデータを削除しないように記憶部２ｂを制御する。
【００２８】
また、サーバ２のコントローラ２ｄは、不揮発性メモリを内蔵するメモリカード等の外部の記憶媒体１５と外部インターフェース（図示略）を介して接続可能とされ、購入要求の信号で指定されたオーディオデータのみを記憶媒体１５へ転送可能とするように記憶部２ｂを制御している。
なお、記憶部２ｂ内のオーディオデータは、著作権保護のための暗号化が施されていてもよい。
【００２９】
なお、通信機能付きアンプ４には、リモートコントローラ（図示略）が付属されており、該リモートコントローラを操作することにより、複数のチャンネルのうち１つのチャンネルを任意に選択可能で、選択したチャンネルを含む入力情報を電波又は赤外線で送信可能とされている。なお、リモートコントローラは、他に音量調整、通信機能付きアンプ４の電源のＯＮ／ＯＦＦ等の入力情報を送信可能となっている。また、通信機能付きアンプ４は、上記リモートコントローラから送信された入力情報の電波又は赤外線を受信可能な無線受信部（図示略）を備えている。
【００３０】
上記デジタル回線Ｄには、本有線放送システムのオーディオデータを配信する配信局（図示略）が接続されている。この配信局は、複数のチャンネルにおいてチャンネル毎に対応した楽曲等のオーディオデータをＭＰ３ (MPEG AudioLayer III)形式やＷＡＶＥ形式等でデジタル回線Ｄを介して受信局に相当する有線放送装置６へ逐次送信するようになっている。なお、上記オーディオデータは、ＭＰ３形式等の圧縮されたデータ形式で送信を行うことが好ましい。また、通信機能付きアンプ４は、受信した圧縮データのオーディオデータをデコードし、スピーカ端子９を介してスピーカ５にアナログ出力する機能を有している。
【００３１】
なお、本有線放送システムにおけるデータの各処理部、すなわちデータ通信モデム１、サーバ２（通信部２ａ、記憶部２ｂ、デコーダ２ｃ、コントローラ２ｄ）、モデム側電力線通信部３及び通信機能付きアンプ４等の処理部は、専用のハードウェアにより実現されるものであってもよく、また、各処理部はコンピュータシステムとしてメモリ及びＣＰＵ（中央集積装置）により構成され、各処理部の機能及び後述する本実施形態の有線放送方法を実現するためのプログラムをメモリにロードして実行することによりその機能を実現させるものであってもよい。
【００３２】
すなわち、上記プログラムは、コンピュータ読み取り可能なプログラムであり、前述した機能及び後述する有線放送方法の一部を実現するためであってもよい。
さらに、上記プログラムは、前述した機能をコンピュータシステムに既に記録されているプログラムとの組み合わせで実現できるもの、いわゆる差分ファイル（差分プログラム）であってもよい。
【００３３】
また、上記プログラムは、このプログラムを記憶装置等に格納したコンピュータシステムから伝送媒体を介して、あるいは伝送媒体中の伝送波により他のコンピュータシステムに伝送されるものであってもよい。上記伝送媒体とは、インターネット等のネットワーク（通信網）や電力線、電話回線等の通信回線（通信線）のように、情報を伝送する機能を有する媒体をいうものとする。
また、上記メモリは、ハードディスク装置や光磁気ディスク装置、フラッシュメモリ等の不揮発性のメモリや、ＣＤ−ＲＯＭ等の読み出しのみが可能な記録媒体、ＲＡＭ(Random Access Memory)のような揮発性のメモリ或いはこれらの組み合わせによるコンピュータ読み取り、書き込み可能な記録媒体より構成されるものとする。
【００３４】
次に、本実施形態の有線放送システムによる有線放送方法について説明する。なお、本有線放送システムでは、チャンネル毎に洋楽や邦楽等のジャンルが異なる楽曲が配信される場合について例示する。
【００３５】
まず、有線放送装置６のデータ通信モデム１は、配信局からデジタル回線Ｄを介して全チャンネルのオーディオデータをデータ送信するように要求情報を送信し、配信局からデジタル回線Ｄを介して送信される各チャンネルのオーディオデータを受信すると共にサーバ２へと送る。そして、サーバ２は、受信した各チャンネルのオーディオデータを通信部２ａを介して記憶部２ｂ内に逐次保存、更新する。
【００３６】
次に、鑑賞者の操作により一つのチャンネル（例えば、洋楽のチャンネル）が選択され、通信機能付きアンプ４のチャンネル選択部１１から入力されると、通信機能付きアンプ４は選択されたチャンネルの入力情報を電力線Ｌを介してモデム側電力線通信部３へ送信する。
なお、チャンネルの入力は、リモートコントローラを用いて行っても構わない。
【００３７】
次に、モデム側電力線通信部３は、受信した選択チャンネルの入力情報をサーバ２に送る。サーバ２のコントローラ２ｄは、選択チャンネルの入力情報に基づいて記憶部２ｂ内の選択チャンネルのオーディオデータをデコーダ２ｃへ受け渡す。さらに、デコーダ２ｃは、圧縮データであるオーディオデータをデコードしてＩ／Ｆ部を介してモデム側電力線通信部３へ送る。そして、モデム側電力線通信部３は、電力線Ｌを介して選択されたオーディオデータを送信する。さらに、通信機能付きアンプ４は、電力線Ｌを介して選択チャンネルの最新の１曲分のデータを受信し、デコードしてアナログ信号に変換しスピーカ端子９を介してスピーカ５に送ることで、スピーカ５により選択チャンネルの最新曲が再生出力される。
【００３８】
なお、スピーカ５により楽曲が再生されている際、通信機能付きアンプ４の表示部１２は、選択チャンネル番号、楽曲名、アーティスト名、再生時間等の情報を表示する。これにより、チャンネルや楽曲の情報を出力側で容易に知ることができる。また、通信機能付きアンプ４では、再生中の楽曲について、ボリューム調整部７及びイコライザ制御部８により、再生音量及び再生音質を任意に調整することができる。
【００３９】
サーバ２のコントローラ２ｄは、上記選択されたオーディオデータが再度、同様の操作により通信機能付きアンプ４から選択されデータ送信するように要求された場合、同様の動作によりモデム側電力線通信部３から電力線Ｌを介して通信機能付きアンプ４へ送信するが、送信後、記憶部２ｂから該当するオーディオデータを削除する。また、このように同じオーディオデータが２回再生されなくても、記憶部２ｂに保存されてから１日（２４時間）経過した場合も、同様に、コントローラ２ｄは、該当するオーディオデータを記憶部２ｂから削除する。このようにして、３度以上又は２４時間を超えて、著作権で保護された同じオーディオデータが再生出力されることを防いでいる。
【００４０】
また、オーディオデータの再生中又は過去再生した数曲のうちからサーバ２に保存されている楽曲が購入要求スイッチ１４により指定された場合、当該オーディオデータの購入要求の信号を通信機能付きアンプ４から電力線Ｌを介して有線放送装置６へ送信する。コントローラ２ｄは、モデム側電力線通信部３が購入要求の信号を受信すると、購入要求されたオーディオデータが記憶部２ｂから削除されないように削除対象から除外する設定を行う。
【００４１】
さらに、コントローラ２ｄは、通信部２ａからデータ通信モデム１へ購入要求されたオーディオデータ及び購入者情報を送り、データ通信モデム１は、デジタル回線Ｄを介してこれら情報を楽曲の配信先に送信する。したがって、これらの情報により、楽曲の配信先では、予め登録されている購入者のクレジットカード情報や引き落とし用銀行口座情報等に基づいてオーディオデータ購入の課金を自動的に行う。なお、メモリカード等の記憶媒体１５をサーバ２に接続することにより、購入したオーディオデータを記憶媒体１５へ転送して別のオーディオプレーヤー等の再生装置で再生することが可能である。
【００４２】
上記パーソナルコンピュータ７をデータ通信モデム１に接続している場合、パーソナルコンピュータ７により、通信機能付きアンプ４毎にチャンネルを割り当てると共にチャンネル毎にオーディオデータの再生順序を設定する制御命令をデータ通信モデム１に入力すると、データ通信モデム１がサーバ２に対してこの制御命令を出力する。すなわち、３つの通信機能付きアンプ４Ａ〜４Ｃが別々の部屋等に設置されている場合、パーソナルコンピュータ７によって、例えば通信機能付きアンプ４Ａにチャンネル１、通信機能付きアンプ４Ｂにチャンネル３、通信機能付きアンプ４Ａにチャンネル１をそれぞれ割り当てる。
【００４３】
さらに、曲Ａ，Ｂ，Ｃがチャンネル１のオーディオデータとして記憶部２ｂ内に保存されている場合、パーソナルコンピュータ７によって、例えば曲Ａ、曲Ｃ、曲Ｂの順序で再生するように設定する。この設定は制御命令としてパーソナルコンピュータ７からデータ通信モデム１に送られ、データ通信モデム１からサーバ２のコントローラ２ｄに出力される。そして、該コントローラ２ｄは、この制御命令に基づいて各部を制御し、上記割り当て及び再生順序となるように再生出力を行う。
【００４４】
上述したように本実施形態では、サーバ２が、同じオーディオデータをモデム側電力線通信部３により一定回数送信した際又は保存してから一定時間が経過した際、該オーディオデータを削除するので、サーバ２内にオーディオデータが時限的に制限されて保存され、著作権保護の観点から何度も制限無く再生することを防いでいる。また、サーバ２がパーソナルコンピュータ７とは独立されてデータ通信モデム１に接続されているので、サーバ２内に保存されたオーディオデータをパーソナルコンピュータ７から直接吸い上げられて転送、複製されることがない。さらに、サーバ２に保存されたオーディオデータが電力線Ｌを介して送信されるため、通信機能付きアンプ４側にバッファ機能が必要なく、低コストで簡易な通信機能付きアンプ４及びスピーカ５で放送を行うことができる。
【００４５】
また、サーバ２は購入要求の信号が入力又は受信されると、指定されたオーディオデータの削除を中止するので、気に入った楽曲を選択して購入、保存することができる。また、同時に、データ通信モデム１により購入要求及び購入者情報を電力線Ｌを介してオーディオデータの配信先へ送信するので、配信先への購入手続が迅速かつ簡易に行うことができ、インタラクティブな購買システムを構築することができる。
【００４６】
さらに、購入要求で指定されたオーディオデータのみを記憶媒体１５へ転送可能とされているので、気に入って購入した楽曲を別のメモリカード等の記憶媒体１５へ保存して持ち運ぶことが可能になる。
また、パーソナルコンピュータ７によりデータ通信モデム１を介して通信機能付きアンプ４毎にチャンネルを割り当てると共にチャンネル毎にオーディオデータの再生順序を設定する制御命令を、サーバ２に出力可能であるので、簡素なインターフェースで容易に上記設定が可能となる。
【００４７】
なお、本発明の技術範囲は上記実施形態に限定されるものではなく、本発明の趣旨を逸脱しない範囲において種々の変更を加えることが可能である。
【００４８】
例えば、サーバ２では、一定回数再生した場合又は一定保存期間が経過した場合に記憶部２ｂから該当するオーディオデータを削除する処理を行っているが、記憶部２ｂ内の記憶領域を分けることで、特定のオーディオデータについては一定期間だけ、削除の対象から除外するように設定しても構わない。
【００４９】
また、上記実施形態では、音楽放送を行う配信システムとしてオーディオデータによる音声再生を行ったが、映像コンテンツを配信する有線放送システムとして映像データ（動画データだけでなく静止画像データを含むものとする）による映像再生を行っても構わない。
この場合、電力線Ｌに接続される出力装置としては、液晶ディスプレイ等の画像表示装置が採用される。
【図面の簡単な説明】
【００５０】
【図１】本発明に係る一実施形態の音声・映像放送装置、音声・映像放送システム、音声・映像放送方法及び音声・映像放送プログラムにおいて、システム全体を示す構成図である。
【図２】本実施形態について、有線放送装置を示すブロック図である。
【図３】本実施形態について、通信機能付きアンプを示す斜視図である。
【符号の説明】
【００５１】
１…データ通信モデム、２…サーバ、２ａ…通信部、２ｂ…記憶部、２ｃ…デコーダ、２ｄ…コントローラ、３…モデム側電力線通信部、４…通信機能付きアンプ（出力側電力線通信部）、５…スピーカ（出力部）、６…有線放送装置（音声・映像放送装置）、１５…記憶媒体、Ｄ…デジタル回線、Ｌ…電力線
【図１】
2008172370.tif 000003
【図２】
2008172370.tif 000004
【図３】
2008172370.tif 000005